(57)【要約】【課題】遊技機の扉を開閉する場合に、遊技機と接触することを良好に抑制することができる遊技媒体貸出機を提供する。【解決手段】ベース１０に傾斜面部３５を設け、ノズルシュータ１４を第１位置から第２位置に回動した際にノズルシュータ１４を傾斜面部３５により上方に高くなるように回動させるようにした。これにより、スロットマシンの扉を開閉する場合にノズルシュータ１４と扉が接触することを良好に抑制できる。【選択図】図１
2014217608.tif 000002
【特許請求の範囲】
【請求項１】
前方に開放可能な扉と、遊技に使用する遊技媒体を貯留する貯留部とを備えた遊技機に隣接して設置され、遊技者の貸出操作に応じて所定数の遊技媒体を前記貯留部に貸出す遊技媒体貸出機において、
遊技媒体を貸出す本体部と、
前記本体部が貸出した遊技媒体を前記貯留部に案内する通路を形成する案内通路と、
前記案内通路を水平方向に回動可能とすることで、当該案内通路の位置を、前記貯留部に遊技媒体を案内可能に前記扉の前方に位置する第１位置と、前記扉の前方から退避した第２位置と、に切換える水平回動部と、
前記案内通路が前記第１位置から前記第２位置に切替わる場合の回動に連動して、前記案内通路の先端部の位置が高くなるように前記案内通路を上方に回動させる連動回動機構と、
を備えたことを特徴とする遊技媒体貸出機。
【請求項２】
前記連動回動機構として、前記水平回動部よりも前方に設けられ、前記案内通路が水平方向に回動する場合に当該案内通路の底部が沿うと共に、前記案内通路が前記第１位置から前記第２位置に向かうにつれて高くなる傾斜領域を備えたことを特徴とする請求項１記載の遊技媒体貸出機。
【請求項３】
前記傾斜領域よりも前記第２位置側に設けられ、前記案内通路部が水平方向に回動する場合に当該案内通路の底部が沿うと共に、前記第２位置に向かうにつれて低くなる又は水平方向に設けられた保持領域を備えたことを特徴とする請求項２記載の遊技媒体貸出機。
【請求項４】
前記傾斜領域は、前記本体部の外壁をなす円弧状のカバーの上壁面に設けられていることを特徴とする請求項２または３記載の遊技媒体貸出機。
【請求項５】
前記傾斜領域は、前記案内通路が前記第１位置から前記第２位置に向かうにつれて、沿って移動する前記案内通路の底部が前記案内通路の基端側になるように、後方成分を有して延びていることを特徴とする請求項２から４の何れか一項に記載の遊技媒体貸出機。
【発明の詳細な説明】
【技術分野】
【０００１】
本発明は、遊技者の貸出操作に応じて所定数の遊技媒体を遊技機の貯留部に貸出す遊技媒体貸出機に関する。
【背景技術】
【０００２】
遊技場では、パチンコ機やスロットマシン等の遊技機に隣接してメダルや玉（遊技媒体）を貸出す貸出機を設置している。貸出機には、遊技機のメダルや玉の貯留部に向けて延びたノズル（案内通路）が設けられている。遊技者は、ノズルから貯留部に貸出されたメダルや玉を用いて遊技機にて遊技を行う。
【先行技術文献】
【特許文献】
【０００３】
【特許文献１】特開２００６−１５０１１７号公報
【発明の概要】
【発明が解決しようとする課題】
【０００４】
従来より、ノズルとして様々なものが提案されている。例えば特許文献１には、ノズルが水平方向に回動でき、さらに、ノズル先端部分の高さを調整できるものが提案されている。
また、遊技機には、前面側に開放可能な扉が設けられている。遊技場の管理者は扉を開放した後に、遊技機の内部のメンテナンスを行うことや、メダルの補給を行うことがある。特許文献１のノズルでは、水平方向に回動することで遊技機の扉の開閉を阻害しない位置に退避できるが、遊技機は並べて配置していることが多く、ノズルを水平方向に大きく回動させた場合、ノズルが隣の遊技機に接触してしまうことや隣の遊技機の遊技を妨げてしまうおそれがある。
【０００５】
本発明は上記事情に鑑みてなされたもので、その目的は、遊技機の扉を開閉する場合に、遊技機と接触することを良好に抑制することができる遊技媒体貸出機を提供することにある。
【課題を解決するための手段】
【０００６】
本発明は、前方に開放可能な扉と、遊技に使用する遊技媒体を貯留する貯留部とを備えた遊技機に隣接して設置され、遊技者の貸出操作に応じて所定数の遊技媒体を前記貯留部に貸出す遊技媒体貸出機において、
遊技媒体を貸出す本体部と、前記本体部が貸出した遊技媒体を前記貯留部に案内する通路を形成する案内通路と、前記案内通路を水平方向に回動可能とすることで、当該案内通路の位置を、前記貯留部に遊技媒体を案内可能に前記扉の前方に位置する第１位置と、前記扉の前方から退避した第２位置と、に切換える水平回動部と、前記案内通路が前記第１位置から前記第２位置に切替わる場合の回動に連動して、前記案内通路の先端部の位置が高くなるように前記案内通路を上方に回動させる連動回動機構と、を備えたものである（請求項１）。
【０００７】
請求項１記載の遊技媒体貸出機において、
前記連動回動機構として、前記水平回動部よりも前方に設けられ、前記案内通路が水平方向に回動する場合に当該案内通路の底部が沿うと共に、前記案内通路が前記第１位置から前記第２位置に向かうにつれて高くなる傾斜領域を備えるようにしてもよい（請求項２）。
【０００８】
請求項２記載の遊技媒体貸出機において、
前記傾斜領域よりも前記第２位置側に設けられ、前記案内通路部が水平方向に回動する場合に当該案内通路の底部が沿うと共に、前記第２位置に向かうにつれて低くなる又は水平方向に設けられた保持領域を備えるようにしてもよい（請求項３）。
【０００９】
請求項２または３記載の遊技媒体貸出機において、
前記傾斜領域は、前記本体部の外壁をなす円弧状のカバーの上壁面に設けられていてもよい（請求項４）。
【００１０】
請求項２から４の何れか一項に記載の遊技媒体貸出機において、
前記傾斜領域は、前記案内通路が前記第１位置から前記第２位置に向かうにつれて、沿って移動する前記案内通路の底部が前記案内通路の基端側になるように、後方成分を有して延びていてもよい（請求項５）。
【発明の効果】
【００１１】
請求項１の発明によれば、遊技機の扉を開放するために案内通路を水平方向に回動させれば、その回動に連動して案内通路の先端部が高くなるように回動する。先端部が高くなるように回動すると、案内通路の先端部が遊技機から離れることになる。このため、水平方向への回動量を少なくしても扉を開閉する場合に案内通路と扉が接触することを抑制できる。さらに、案内通路を水平方向に回動させる動作とは別に案内通路の先端部を上方に動かす動作を遊技場の管理者が行う必要がなく、案内通路の先端部を上方に動かし忘れることを抑制できる。
【００１２】
請求項２の発明によれば、案内通路を水平方向に回動させれば、傾斜領域に沿って案内通路の先端部が水平方向への回動軸を中心として上方へ回動することになる。傾斜領域に沿って案内通路の先端部を高くする構成としたため、水平方向への回動を開始する場合に過度な力が必要となることを抑制でき、水平方向及び上下方向の回動を実現した場合の案内通路の回動を円滑に行うことができる。
【００１３】
請求項３の発明によれば、保持領域においては、案内通路が傾斜領域に位置している場合よりも第１位置側に戻りにくい。このため、遊技場の管理者が保持領域まで案内通路を回動させれば、作業中に案内通路が第１位置側に回動することを抑制できる。この結果、遊技機の扉を開放して作業を行っている間に案内通路が第１位置側に戻ってしまい、遊技機の扉を閉める場合に遊技機の扉と案内通路が接触することを抑制できる。
【００１４】
請求項４の発明によれば、遊技媒体貸出機は遊技者が触れることがあり、遊技者が触った場合に怪我をすることを抑制するためにカバーの壁面は角をとって円弧状に設けられており、その円弧状のカバーの上壁面に傾斜領域を設けた。この部分の上壁面を傾斜領域としたため、傾斜面部を設けるために新たな部材を設ける必要がなくなる。
【００１５】
請求項５の発明によれば、傾斜領域において案内通路が第１位置から第２位置に向かうにつれて、上方に押上げる力点が案内通路の基端側に変位する。このため、第１位置から第２位置に向かうにつれて案内通路の上方への移動量を大きくすることができる。この結果、傾斜領域を広く設けなくとも案内通路を遊技機の扉から退避させ易い。また、水平方向の回動に伴って上方に押上げる力点を変位させるため、水平方向への回動当初から案内通路の基端側に上方に押上げる構成に比べ水平方向への回動を開始する場合に過度な力が必要となることを抑制でき、請求項２の発明の効果を高めることができる。
【図面の簡単な説明】
【００１６】
【図１】本発明の一実施形態においてノズルシュータを第２位置に位置した状態で示す案内ユニットの正面図
【図２】スロットマシン及び貸出機の正面図
【図３】貸出機の側面図
【図４】ノズルシュータを第１位置に位置させた状態で示す図１相当図
【図５】案内ユニットの側面図
【図６】案内ユニットの平面図
【図７】案内ユニットの破断面図（その１）
【図８】案内ユニットの破断面図（その２）
【図９】回動ノズルの正面図
【図１０】回動ノズルの側面図
【図１１】回動ノズルの平面図
【図１２】口部と装着部との係合状態を断面にして示すノズルシュータの正面図
【発明を実施するための形態】
【００１７】
以下、本発明の一実施形態について図面を参照して説明する。
図２はスロットマシン及び遊技媒体貸出機（以下、貸出機）の正面図、図３は貸出機の側面図である。スロットマシン１００（遊技機に相当）の図示右側には貸出機１（遊技媒体貸出機に相当）が設置されており、スロットマシン１００の受皿１０１（貯留部に相当）に図示右側からメダルを払出す。
【００１８】
スロットマシン１００の前面には扉１０２が設けられており、その扉１０２は内部のメンテナンスや、メダルの補給のために図示左側を支点として前方に開放可能となっている。スロットマシン１００についての詳細な説明は省略し、貸出機１について説明する。貸出機１は所謂各台計数機能付きであり、紙幣投入口２への紙幣の投入による残高内で単位分のメダルを払出す機能、貸出機１の状態を状態表示部３にて表示する機能、非接触リーダ４により携帯電話機から携帯ＩＤを読取って貯玉再プレイする機能、投入された獲得メダルを計数して持メダルとする機能、持メダルの範囲内でメダルを払出す機能、残高及び持メダルをＩＣカードに記録してカード挿入口５から発行する機能、カード挿入口５に挿入されたＩＣカードに記録された残高及び持メダルを読出して残高及び持メダルとする機能、持メダルを貯メダルする機能、それらの機能を表示部６にて遊技者に案内する機能、ストックしているＩＣカードの状態をカード状態表示部７により従業員に報知する機能等を備えている。貸出機１は図示しないカードストック部にＩＣカードを最大１０枚収納可能となっており、ＩＣカードの在庫がなくなったり、異常が発生したことをカード状態表示部７により報知する。
【００１９】
貸出機１の本体部８はメダルを払出す払出装置、メダルを計数する計数装置（何れも図示せず）を内蔵している。本体部８の前面には案内ユニット９が前方に突出して取付けられている。この案内ユニット９は、本体部８の払出装置から払出されたメダルをスロットマシン１００に案内したり、投入されたメダルを本体部８の計数装置に案内したりするユニット部品であり、以下、案内ユニット９について説明する。
【００２０】
図４から図６は案内ユニット９の正面図、側面図、平面図である。案内ユニット９は、ベース１０とヘッド１１との間に回動ノズル１２を挟持した状態で、ヘッド１１とベース１０とをネジ止めして一体化して構成されている。回動ノズル１２は、ベース１０とヘッド１１との間に挟持されることにより、図４に示す第１位置（通常位置）と図１に示す第２位置（退避位置）との間の所定角度（約３０°）の範囲で回動可能に支持されている。ベース１０が本体部８にネジ止めされることにより案内ユニット９が本体部８に装着される。
【００２１】
ここで、回動ノズル１２について説明する。
図９から図１１は回動ノズル１２の正面図、側面図、平面図である。回動ノズル１２は、円筒状の回動体１３（水平回動部に相当）に螺旋形状のノズルシュータ１４（案内通路に相当）を装着して構成されている。回動体１３の上下面には円筒状のボス部１５がそれぞれ突出形成されており、それらのボス部１５が図７に示すようにヘッド１１に設けられた円環状の上受部１６とベース１０に設けられた円環状の下受部１７とに挿入されることで回動ノズル１２がベース１０とヘッド１１との間に挟持状態で回動可能に支持されている。回動体１３の中間部には、当該回動体１３を前後方向に貫通する傾斜面状の案内通路１８が形成されている。回動体１３の前面側には前方に向かって傾斜した口部１９が一体形成されており、案内通路１８が口部１９に連通している。
【００２２】
回動体１３の口部１９の側面には軸部２０が突出形成されており、その軸部２０がノズルシュータ１４の基端部に設けられた矩形枠状の装着部２１の側面に形成された孔部２２に挿入されることによりノズルシュータ１４が回動体１３に対して上下方向に回動可能に支持されている。この場合、ノズルシュータ１４の装着部２１の底部が回動体１３の外周面に当接しており、これにより、ノズルシュータ１４が回動体１３の前面から斜め下方向を指向した形態となっている。回動体１３の外周面において口部１９の基端となる部位には、ヘッド１１に当接することで回動体１３の回動を規制する回動規制部２３が上下方向に突出形成されている。ノズルシュータ１４の先端部には取外し可能なシュータ２４が装着されている。
【００２３】
ノズルシュータ１４は、螺旋溝形状のノズル本体２５の上面開口部に螺旋板形状のノズルカバー２６を装着して閉鎖することにより螺旋筒形状に構成されている。つまり、ノズル本体２５の側壁の上部には複数の孔部２７が形成されており、その孔部２７にノズルカバー２６の側面から突出形成された複数の突起部２８をそれぞれ係合することによりノズル本体２５の上面開口部にノズルカバー２６が係合状態で装着されている。ここで、ノズルカバー２６の突起部２８はノズル本体２５の側壁から側方に突出することがないようにその長さが設定されているのに対して、ノズルカバー２６の基端部に形成された突起部２９のみは、図１２に示すように装着部２１の孔部２７から側方に突出すると共にその突出した部位に上方に立ち上がった立上部２９ａが一体形成されている。これにより、突起部２９が装着部２１の孔部２７に挿入された状態では、立上部２９ａが孔部２７から側方に突出して装着部２１の側壁に係止するようになるので、ノズルカバー２６がノズル本体２５の装着部２１に対して抜け止めされるようになる。従って、ノズルシュータ１４を回動する際にノズルシュータ１４に対して捩じり方向の力が作用した場合であっても、ノズル本体２５からノズルカバー２６が外れてしまうことが防止されている。
【００２４】
図７は案内ユニット９の破断面図である。ベース１０には当該ベース１０を前後方向に貫通する傾斜面状の案内通路３０が形成されており、回動ノズル１２がベース１０とヘッド１１との間に挟持された状態では、ベース１０の案内通路３０と、回動体１３の案内通路１８と、ノズルシュータ１４とが回動体１３の回動位置、つまり案内通路１８の位置に関わらず連通する。従って、本体部８の払出装置から払出されたメダルは、案内通路３０，１８、ノズルシュータ１４を経てスロットマシン１００に払出される。
【００２５】
一方、図８に示すようにヘッド１１の上面には投入部３１が形成されており、その投入部３１を閉鎖している蓋部３２を開放した状態でメダルを投入部３１に投入可能となっている。ヘッド１１には投入部３１から連通した傾斜面状の排出面部３３が形成されており、投入部３１に投入されたメダルは排出面部３３から本体部８の計数装置に排出される。
【００２６】
図１に示すようにベース１０の先端部の前面壁面にはカバー３４が一体形成されている。このカバー３４は遊技者が触れても怪我がないように前面壁面の水平方向に対して円弧状であると共に上下方向の端部が円弧状に設けられている。カバー３４の上壁面において、スロットマシン１００と反対側となる部位には傾斜面部３５（連動回動機構、傾斜領域に相当）が形成されていると共に当該傾斜面部３５に連なる水平面部３６（保持領域に相当）が形成されている。つまり、ノズルシュータ１４の第２位置は水平面部３６上においてノズルシュータ１４がベース１０に当接する位置に設定されている。この場合、回動ノズル１２がベース１０とヘッド１１との間に挟持された状態では、ノズルシュータ１４の装着部２１の底部の回動軌跡上にベース１０の傾斜面部３５が位置する関係となるように設定されている。つまり、ノズルシュータ１４が第１位置から第２位置に回動すると、ノズルシュータ１４の装着部２１の底部が傾斜面部３５に当接して当該装着部２１が上方に押上げられるようになっている。
【００２７】
さて、ノズルシュータ１４は、通常状態では第１位置に位置しており、その先端部は、図２に示すように受皿１０１にメダルを払出し可能なように貸出機１の側面からスロットマシン１００側に大きく突出している。このため、遊技場の管理者がスロットマシン１００をメンテナンスしたり、メダルを補給するために扉１０２を開放する場合は、図示左側を中心とした扉１０２の回動軌跡上に位置するノズルシュータ１４が邪魔となることから、ノズルシュータ１４を第１位置からスロットマシン１００と反対側の第２位置に回動することにより退避させる。
【００２８】
ここで、ベース１０に傾斜面部３５及び水平部３６が設けられていない場合を想定すると、ノズルシュータ１４を水平回動させて第２位置に位置させた場合、ノズルシュータ１４の先端部（シュータ２４の先端）は単に水平方向に回動するだけであることから、ノズルシュータ１４の先端部は扉１０２の回動軌跡に極めて近接している。このため、スロットマシン１００の扉１０２を開放して作業を行っている間にノズルシュータ１４が第２位置から第１位置側に僅かに戻ってしまった場合には、スロットマシン１００の扉１０２を閉める際に、スロットマシン１００の扉１０２がノズルシュータ１４の先端部に接触して破損してしまうおそれがある。この場合、ノズルシュータ１４を水平方向に大きく回動可能なように構成すれば、スロットマシン１００の扉１０２がノズルシュータ１４に接触することを抑制することができるものの、ノズルシュータ１４を水平方向に大きく回動させた場合、ノズルシュータ１４が隣のスロットマシン１に接触してしまうことや隣のスロットマシン１の遊技を妨げてしまうおそれがある。
【００２９】
このような事情から、本実施形態では、ノズルシュータ１４を水平方向に大きく回動させることなくスロットマシン１００の扉１０２がノズルシュータ１４に接触することを抑制するようにした。即ち、ノズルシュータ１４を第１位置から第２位置に回動する際にノズルシュータ１４の装着部２１の底部が当接する傾斜面部３５を設け、ノズルシュータ１４の装着部２１の底部がその傾斜面部３５上を摺動することでノズルシュータ１４を上方に高くなるように回動させるようにした。つまり、回動ノズル１２が回動するのに伴ってノズルシュータ１４の装着部２１の底部が傾斜面部３５上を摺動すると、装着部２１が傾斜面部３５により上方に押上げられることから、ノズルシュータ１４が装着部２１の孔部２７を中心として上方に高く回動する。そして、ノズルシュータ１４は、傾斜面部３５上を通過すると水平面部３６上を摺動して第２位置に保持されることになる。このようにノズルシュータ１４が第２位置に保持された状態では、ノズルシュータ１４の先端部位置は、ノズルシュータ１４を傾斜面部３５がない場合において第２位置に位置させてから傾斜面部３５の高さだけ上方に回動させたのと同一位置となることから、ノズルシュータ１４の先端部は第２位置において傾斜面部３５の高さ分に対応して上方に回動した分だけ前方に位置することになる。この結果、ノズルシュータ１４の先端部が前方に位置した分だけスロットマシン１００の扉１０２の回動軌跡から離間することになる。
【００３０】
しかも、回動ノズル１２の第２位置は回動体１３の中心軸の前方方向に対してスロットマシン１００と反対側に位置しているので、ノズルシュータ１４の先端部が上方に回動するということは、ノズルシュータ１４の先端部は前方に加えてスロットマシン１００から離れる水平方向にも移動することを意味するので、それだけノズルシュータ１４の先端部はスロットマシン１００の扉１０２の回動軌跡から一層離間することになる。
【００３１】
以上のように、ノズルシュータ１４の先端部をスロットマシン１００の扉１０２の回動軌跡から大きく離間させることができる。
そして、管理者は、スロットマシン１００のメンテナンス、或いはメダルの補給が終了したときは、スロットマシン１００の扉１０２を閉鎖する。このとき、ノズルシュータ１４の先端部はスロットマシン１００の扉１０２の回動軌跡から大きく離間しているので、スロットマシン１００の扉１０２をノズルシュータ１４の先端部が邪魔することなく容易に閉鎖することができる。
【００３２】
このような実施形態によれば、次のような効果を奏することができる。
ベース１０に傾斜面部３５を設け、ノズルシュータ１４を第１位置から第２位置に回動した際にノズルシュータ１４を傾斜面部３５により上方に高くなるように回動させるようにしたので、スロットマシン１００の扉１０２を開閉する場合にノズルシュータ１４と扉１０２が接触することを良好に抑制できる。さらに、ノズルシュータ１４は第２位置への回動に伴って傾斜面部３５により自動的に上方へ回動するので、ノズルシュータ１４を水平方向に回動させる動作とは別にノズルシュータ１４の先端部を上方に動かす動作を遊技場の管理者が行う必要がなく、ノズルシュータ１４の先端部を上方に動かし忘れることを抑制できる。
【００３３】
ノズルシュータ１４を水平方向に回動させれば、傾斜面部３５に沿ってノズルシュータ１４の先端部が水平方向への回動に伴って上方へ回動するので、水平方向への回動を開始する場合に過度な力が必要となることを抑制でき、水平方向及び上下方向の回動を実現した場合であってもノズルシュータ１４の回動を円滑に行うことができる。
ノズルシュータ１４が第２位置に位置した状態ではノズルシュータ１４を水平面部３６上に保持するようにしたので、スロットマシン１００の扉１０２を開放して作業を行っている間にノズルシュータ１４が第１位置側に戻ってしまい、スロットマシン１００の扉１０２を閉める場合に扉１０２とノズルシュータ１４が接触することを抑制できる。
ベース１０の前面に設けられた円弧状のカバー３４の上壁面に傾斜面部３５を設けたので、傾斜面部３５を設けるために新たな部材を設ける必要がなくなる。
【００３４】
（その他の実施形態）
本発明は、上記実施形態に限定されることなく、次のように変形または拡張したり、各変形例を上記実施形態と組合せたり、各変形例を組合せるようにしても良い。
ノズルシュータ１４の装着部２１が傾斜面部３５上を摺動する際に、傾斜面部３５による装着部２１に対する押上げ位置が回動体１３の軸心側に移動するようにしても良い。つまり、傾斜面部３５によるノズルシュータ１４の装着部２１を押上げる力点がノズルシュータ１４の軸心側に移動するようになるので、ノズルシュータ１４の上方への回動角度が大きくなる。この結果、ノズルシュータ１４の先端部位置がスロットマシン１００の扉１０２の回動軌跡から一層離れるようになり、スロットマシン１００の扉１０２が回動ノズル１２の先端部に接触してしまうことを一層防止できる。このことは、ノズルシュータ１４の水平方向への最大回動角度を小さくしてもスロットマシン１００の扉１０２を開閉する場合にノズルシュータ１４と扉１０２が接触することを抑制できることを意味する。同様に、傾斜面部３５を広い領域に亘って設けなくともノズルシュータ１４をスロットマシン１００の扉１０２の回動軌跡から離間させ易いことを意味する。傾斜面部３５によるノズルシュータ１４の装着部２１を押し上げる力点がノズルシュータ１４の軸心側に移動する具体的な構成として、例えば、傾斜面部３５が後方成分を持って延びるようにすれば良い。この場合、傾斜面部３５が斜め後方に向けて延びることになる。
【００３５】
ノズルシュータ１４が第２位置に到達した場合にはノズルシュータ１４を第１位置に戻ることを規制する構成を追加しても良い。例えば、第２位置においてのみ第１位置から離れる方向に付勢するバネを設けたり、所定の力が加わるまで第１位置方向への移動を規制する部材が設けたり、ノズルシュータ１４を第２位置に保持する磁石を設ける構成が考えられる。
【００３６】
ノズルシュータ１４が上方へ回動する場合に、シュータ２４も別途上方へ回動するようにしても良い。具体的には、ギア等の駆動機構を設け、ノズルシュータ１４が上方へ回動によってギアが回動し、ギアが回動することによりシュータ２４も上方へ回動するようにすると良い。この場合、シュータ２４も上方に回動することで、シュータ２４の先端をスロットマシン１００から離間させる効果を高めることができる。
【００３７】
ノズルシュータ１４は筒状でなくとも良く、例えば上方が開放されていても良い。
水平面部３６は傾斜面部３５から連続していなくても良い。具体的には、傾斜面部３５を装着部２１が摺動して、つまり、傾斜面部３５を上った後、第２位置に向かうにつれて下傾斜部が設けられていても良い。この場合、第２位置に到達した装着部２１がメンテナンスの途中等に第１位置に戻ることを抑制する効果を高めることができる。
水平面部３６の終端側が下側に傾斜となるようにしても良い。
傾斜面部３５を設けるためだけの部材を別途設けるようにしても良い。
【００３８】
スロットマシン１００の扉１０２を開放する場合の支点を図２で示す右側、貸出機１のノズルシュータ１４を水平方向に回動させる場合の支点を図２で示す左側、つまり、スロットマシン１００と貸出機１とで支点をスロットマシン１００の本体部分を挟んで反対側としたが、支点が同じ方向に設けられていても良い。例えば、扉１０２の支点、及び貸出機１の支点が両方ともスロットマシン１００の左側に設けられていても良い。
パチンコに設けられる貸出機に適用しても良い。つまり、遊技媒体として玉を用いる遊技機に対応する貸出機に本発明を適用することも可能である。
【符号の説明】
【００３９】
図面中、１は貸出機（遊技媒体貸出機）、８は本体部、１３は回動体（水平回動部）、１４はノズルシュータ（案内通路）、３４はカバー、３５は傾斜面部（連動回動機構、傾斜領域）、３６は水平面部（保持領域）、１００はスロットマシン（遊技機）、１０１は受皿（貯留部）、１０２は扉である。
【図１】
2014217608.tif 000003
【図２】
2014217608.tif 000004
【図３】
2014217608.tif 000005
【図４】
2014217608.tif 000006
【図５】
2014217608.tif 000007
【図６】
2014217608.tif 000008
【図７】
2014217608.tif 000009
【図８】
2014217608.tif 000010
【図９】
2014217608.tif 000011
【図１０】
2014217608.tif 000012
【図１１】
2014217608.tif 000013
【図１２】
2014217608.tif 000014